(57)【要約】      （修正有）【課題】フレグランス液の補充、すなわちフレグランス液の容器が交換しやすいフレグランス霧化拡散装置を提供する。【解決手段】フレグランス液の容器が交換しやすいフレグランス霧化拡散装置は、ケース４と、霧化機構と、ケース４の両端に位置し、ケース４とともにキャビティを囲むボトムカバー１及びトップカバー２と、キャビティ内に固着されるホルダ３と、を含み、霧化機構、給気アセンブリ及び給電アセンブリはいずれもホルダ３に取り付けられ、ホルダ３には霧化機構を取り付ける取り付け室３１が鉛直方向に沿って開設され、取り付け室３１の一端がトップカバー２を貫通し、霧化機構は霧化ヘッド５１と、霧化ヘッド５１に連結される液体貯蔵ボトル５２と、を含み、フレグランス液が補充しやすいという利点を有する。【選択図】図２
0003233688.tif 000002
【実用新案登録請求の範囲】
【請求項１】
ケース（４）と、霧化機構（５）と、ケース（４）の両端に位置し、ケース（４）とともにキャビティを囲むボトムカバー（１）及びトップカバー（２）と、キャビティ内に固着されるホルダ（３）と、を含み、霧化機構（５）、給気アセンブリ（６）及び給電アセンブリはいずれもホルダ（３）に取り付けられるフレグランス液の容器が交換しやすいフレグランス霧化拡散装置であって、ホルダ（３）には霧化機構（５）を取り付ける取り付け室（３１）が鉛直方向に沿って開設され、取り付け室（３１）の一端がトップカバー（２）によって密閉され、トップカバー（２）に挿着口（２２）が設けられ、挿着口（２２）が取り付け室（３１）に連通し、霧化機構（５）は霧化ヘッド（５１）と、霧化ヘッド（５１）に連結される液体貯蔵ボトル（５２）と、を含み、
ホルダ（３）に霧化機構（５）を位置決めするための位置決め機構が設けられ、位置決め機構は霧化機構（５）に当接するためのスライド部材（８）と、スライド部材（８）を位置決めするための位置決めアセンブリ（９）と、を含み、スライド部材（８）は取り付け室（３１）の軸方向に沿ってスライドするようにホルダ（３）に取り付けられ、位置決めアセンブリ（９）はドアロックスイッチ（９１）とスナップジョイント（９３）を含み、スナップジョイント（９３）はスライド部材（８）の上下移動に伴ってドアロックスイッチ（９１）とスナップフィットにしたりスナップフィットを解除したりし、スナップジョイント（９３）とドアロックスイッチ（９１）がスナップフィットを解除すると、霧化ヘッド（５１）が取り付け口から延出し、
霧化ヘッド（５１）内に霧化室（５１１）が開設され、霧化室（５１１）の上端に霧化ヘッド（５１）の外に連通する噴霧孔（５１２）が開設され、霧化室（５１１）の内壁に霧化ヘッド（５１）の外に連通する吸気ノズル（５１４）、及び液体貯蔵ボトル（５２）に連通する送液ノズル（５１５３）がそれぞれ設けられ、スナップジョイント（９３）とドアロックスイッチ（９１）がスナップフィットにされると、吸気ノズル（５１４）が給気アセンブリ（６）に連通する、
ことを特徴とするフレグランス液の容器が交換しやすいフレグランス霧化拡散装置。
【請求項２】
スライド部材（８）は環状に設けられ、位置決めアセンブリ（９）は少なくとも２セット設けられ、且つスライド部材（８）の周方向に沿って配列される、
ことを特徴とする請求項１に記載のフレグランス液の容器が交換しやすいフレグランス霧化拡散装置。
【請求項３】
位置決め機構は、スライド部材（８）を制限するためのリミットアセンブリ（１０）をさらに含み、リミットアセンブリ（１０）及び位置決めアセンブリ（９）はいずれも少なくとも１セット設けられ、各リミットアセンブリ（１０）は１つの位置決めアセンブリ（９）に対応し、リミットアセンブリ（１０）はスライドブロック（１０１）とスライドレール（１０２）を含み、スライドレール（１０２）にはスライド溝（１０２１）がスライド部材（８）のスライド方向に沿って開設され、スライドブロック（１０１）はスライド溝（１０２１）内に位置し且つスライド溝（１０２１）にスライド可能に連結される、
ことを特徴とする請求項１に記載のフレグランス液の容器が交換しやすいフレグランス霧化拡散装置。
【請求項４】
位置決め機構はスライド部材（８）のリターンを駆動するためのリターンアセンブリ（１１）をさらに含み、リターンアセンブリ（１１）及び位置決めアセンブリ（９）はいずれも少なくとも１セット設けられ、各リターンアセンブリ（１１）は１つの位置決めアセンブリ（９）に対応し、リターンアセンブリ（１１）はスライド部材（８）が取り付け室（３１）の開口方向に向かって移動するように駆動するリターンスプリング（１１０１）及びガイドロッド（１１０２）を含み、ガイドロッド（１１０２）はホルダ（３）に固着され、リターンスプリング（１１０１）はガイドロッド（１１０２）上に被嵌され、且つ上端がスライド部材（８）に当接される、
ことを特徴とする請求項１に記載のフレグランス液の容器が交換しやすいフレグランス霧化拡散装置。
【請求項５】
霧化ヘッド（５１）には少なくとも１つのリミットリブ（５１７）がその径方向に沿って設けられ、リミットリブ（５１７）の位置及び数に応じて、トップカバー（２）における取り付け室（３１）の開口に位置する箇所にはリミットリブ溝（２１）が開設され、リミットリブ溝（２１）はトップカバー（２）の上端面に連通し、リミットリブ（５１７）が対応するリミットリブ溝（２１）内に位置すると、吸気ノズル（５１４）と給気アセンブル（６）が連通する、
ことを特徴とする請求項１に記載のフレグランス液の容器が交換しやすいフレグランス霧化拡散装置。
【請求項６】
給気アセンブリ（６）はエアポンプ（６１）と吸気口（６２）を含み、エアポンプ（６１）は吸気口（６２）を介して取り付け室（３１）の内壁に連通し、霧化ヘッド（５１）の吸気ノズル（５１４）に位置する箇所に嵌め込み溝（５１３）が設けられ、嵌め込み溝（５１３）内に連結ブロック（５１６）が嵌設され、連結ブロック（５１６）内に吸気ノズル（５１４）に連通する連通室（５１６１）が開設され、連通室（５１６１）の吸気ノズル（５１４）から離れる一端が連結ブロック（５１６）を貫通し、連結ブロック（５１６）の取り付け室（３１）に向かった一端が霧化ヘッド（５１）の側壁を突出し、且つ取り付け室（３１）の内壁に当接される、
ことを特徴とする請求項１に記載のフレグランス液の容器が交換しやすいフレグランス霧化拡散装置。
【請求項７】
取り付け室（３１）の内壁にはリミット溝（３２）がその径方向に沿って開設され、リミット溝（３２）は霧化ヘッド（５１）のスライド方向に沿ってトップカバー（２）の開口まで延在する、
ことを特徴とする請求項６に記載のフレグランス液の容器が交換しやすいフレグランス霧化拡散装置。
【請求項８】
連結ブロック（５１６）は弾性材料で製造され、且つリミット溝（３２）に突き当てられる、
ことを特徴とする請求項７に記載のフレグランス液の容器が交換しやすいフレグランス霧化拡散装置。
【請求項９】
位置決めアセンブリ（９）はドアロック取り付けブロック（９２）をさらに含み、ドアロック取り付けブロック（９２）はホルダ（３）に取り外し可能に連結され、ドアロック取り付けブロック（９２）には取り付け溝（９２１）がその厚さ方向に沿って開設され、ドアロックスイッチ（９１）は取り付け溝（９２１）内に嵌設され、且つドアロックスイッチ（９１）の長さ方向に沿って制限固定される、
ことを特徴とする請求項１に記載のフレグランス液の容器が交換しやすいフレグランス霧化拡散装置。
【請求項１０】
ホルダ（３）には取り付け座（３３）が設けられ、取り付け座（３３）にボルトが穿設され、ドアロック取り付けブロック（９２）には変形可能な孔（９２３）がその厚さ方向に（９２）沿って開設され、ボルトが変形可能な孔（９２３）に穿設され、変形可能な孔（９２３）の取り付け座（３３）から離れる側に螺接される、
ことを特徴とする請求項１に記載のフレグランス液の容器が交換しやすいフレグランス霧化拡散装置。
【考案の詳細な説明】
【技術分野】
【０００１】
本願はフレグランス液の容器が交換しやすいフレグランス霧化拡散装置に関する。
【背景技術】
【０００２】
社会の発展や、人々の生活レベルの向上に伴い、自動車はますます人々がよそへ行くための重要な交通手段となり、自動車の快適性は人々が気に掛ける要点になる。車内の空気環境を改善するために、一般的に、アロマケース、フレグランスケースなど、香りを出すことができる車載付属品を車内に置く。
【０００３】
フレグランス利用機器の関連技術において、例えば公開番号がＣＮ１０５９６４４４４Ｂの中国特許に開示された液体分子イオン霧化装置は、柱状のケースと、ケースに連結されるトップカバー及びボトムカバーと、ケースの内部に設けられる支持フレーム、貯蔵ボトル及びエアポンプと、を含み、ケースはボトムカバー上のロックブロック及び支持フレームにより位置決めされる。支持フレームに霧化構造が設けられ、霧化構造は霧化構造本体と、吸気ノズルと、送液ノズルと、を含み、送液ノズルは支持フレームに穿設され貯蔵ボトルに連通し、吸気ノズルは、一端がエアポンプに連結され、且つ他端が上向きに傾斜して霧化構造本体に穿設され、送液ノズルは吸気ノズルの下方に設けられる。この技術的解決手段は、液体を霧化する時に、まずエアポンプにより貯蔵ボトル中の液体を霧化構造本体に圧入するとともに、吸気ノズルの高速気流により送液ノズルから噴出された液体を散らすことにより、霧化を完了する。
【０００４】
上記の関連技術について、出願人は、関連技術におけるフレグランス液を使い切った後、それを交換する必要があり、この技術的解決手段において、フレグランス液の交換には、まずロックブロックによりケースを開け、内部にある全体としての部材を取り出し、続いて内部にある全体としての部材における貯蔵ボトル（液体貯蔵ボトルと同じ）を単独で取り外して交換する必要があるため、交換方法が複雑であると考える。
【考案の概要】
【考案が解決しようとする課題】
【０００５】
フレグランス液を補充しやすくするために、本願は、フレグランス液の容器が交換しやすいフレグランス霧化拡散装置を提供する。
【課題を解決するための手段】
【０００６】
本願にて提供されるフレグランス液の容器が交換しやすいフレグランス霧化拡散装置は、以下の技術的解決手段を採用する。
【０００７】
フレグランス液の容器が交換しやすいフレグランス霧化拡散装置であって、ケースと、霧化機構と、ケースの両端に位置し、ケースとともにキャビティを囲むボトムカバー及びトップカバーと、キャビティ内に固着されるホルダと、を含み、霧化機構、給気アセンブリ及び給電アセンブリはいずれもホルダに取り付けられ、ホルダには霧化機構を取り付けるための取り付け室が鉛直方向に沿って開設され、取り付け室の一端がトップカバーによって密閉され、トップカバー上に挿着口が設けられ、挿着口は取り付け室に連通し、霧化機構は霧化ヘッドと、霧化ヘッドに連結される液体貯蔵ボトルと、を含み、
ホルダに霧化機構を位置決めするための位置決め機構が設けられ、位置決め機構は霧化機構に当接するためのスライド部材と、スライド部材を位置決めするための位置決めアセンブリと、を含み、スライド部材は取り付け室の軸方向に沿ってスライドするようにホルダに取り付けられ、位置決めアセンブリはドアロックスイッチとスナップジョイントを含み、スナップジョイントはスライド部材の上下移動に伴ってドアロックスイッチとスナップフィットにしたりスナップフィットを解除したりし、スナップジョイントがドアロックスイッチとスナップフィットを解除すると、霧化ヘッドが取り付け口から延出し、
霧化ヘッド内に霧化室が開設され、霧化室の上端に霧化ヘッドの外に連通する噴霧孔が開設され、霧化室の内壁に霧化ヘッドの外に連通する吸気ノズル、及び液体貯蔵ボトルに連通する送液ノズルがそれぞれ設けられ、スナップジョイントとドアロックスイッチがスナップフィットにされると、吸気ノズルが給気アセンブリに連通する。
【０００８】
上記技術的解決手段を採用することにより、フレグランス液を霧化する時に、まずフレグランス液が入っている液体貯蔵ボトルを霧化ヘッドに連結し、液体貯蔵ボトルを霧化ヘッドとともに取り付け室内に入れ、霧化ヘッドを下向きに付勢することで、霧化ヘッドがスライド部材を押して下向きにスライドさせるようにし、スナップジョイントがドアロックスイッチとスナップフィットにされると、霧化ヘッドへの付勢を停止し、この時、霧化機構が取り付け室内に内装される。交換しようとする時に、霧化ヘッドを下向きに押圧することで、スナップジョイントがドアロックスイッチとのスナップフィットを解除するようにし、ドアロックスイッチのリターン力は霧化ヘッドが取り付け室の上端開口から弾け出るように押し、この時、操作者は霧化ヘッドを把持して付勢することにより、霧化機構を取り出して交換することができる。位置決め機構の設置により、霧化ヘッドの位置決めを容易にし、且つ液体貯蔵ボトルを交換したりフレグランス液を注いだりする時に、再び霧化ヘッドを押圧するだけで、霧化ヘッドが液体貯蔵ボトルを連れて取り付け室から弾け出るようにでき、交換しやすくなる。
【０００９】
好ましくは、スライド部材は環状に設けられ、位置決めアセンブリは少なくとも２セット設けられ、且つスライド部材の周方向に沿って配列される。
【００１０】
上記技術的解決手段を採用することにより、少なくとも２セットの位置決めアセンブリの設置により、スライド部材の位置決めのバランス及び安定性を向上させる。
【００１１】
好ましくは、位置決め機構は、スライド部材を制限するためのリミットアセンブリをさらに含み、リミットアセンブリは少なくとも１セット設けられ、各リミットアセンブリは１つの位置決めアセンブリに対応し、リミットアセンブリはスライドブロックとスライドレールを含み、スライドレールにはスライド溝がスライド部材のスライド方向に沿って開設され、スライドブロックはスライド溝内に位置し且つスライド溝にスライド可能に連結される。
【００１２】
上記技術的解決手段を採用することにより、リミットアセンブリの設置により、スライド部材がスライドする時に、スライドブロックがスライドレールに開設されたスライド溝内にスライドすることにより、スライド部材のスライドをガイドし、スライド部材が鉛直方向しかに沿ってスライドできないようにし、スライド部材のスライドの安定性を向上させる。
【００１３】
好ましくは、位置決め機構はスライド部材のリターンを駆動するためのリターンアセンブリをさらに含み、リターンアセンブリは少なくとも１セット設けられ、各リターンアセンブリは１つの位置決めアセンブリに対応し、リターンアセンブリはスライド部材が取り付け室の開口方向に向かって移動するように駆動するためのリターンスプリング及びガイドロッドを含み、ガイドロッドはホルダに固着され、リターンスプリングはガイドロッド上に被嵌され、且つ上端がスライド部材に当接される。
【００１４】
上記技術的解決手段を採用することにより、リターンアセンブリの設置により、スライド部材がロック位置まで下向きに移動すると、リターンスプリングは圧縮で力を受ける状態にあり、スナップジョイントとドアロックスイッチとのスナップフィットによる係合が解除されると、リターンスプリングはスプリング力を放出し、スライド部材を押すことで霧化ヘッドを取り付け室から突き出し、ロック解除後の霧化ヘッドの取りを容易にする。
【００１５】
好ましくは、霧化ヘッドには少なくとも１つのリミットリブがその径方向に沿って設けられ、リミットリブの位置及び数に応じて、トップカバーにおける取り付け室の開口に位置する箇所にはリミットリブ溝が開設され、リミットリブ溝はトップカバーの上端面に連通し、リミットリブが対応するリミットリブ溝内に位置すると、吸気ノズルと給気アセンブルが連通する。
【００１６】
上記技術的解決手段を採用することにより、リミットリブとトップカバーにおけるリミットリブ溝との係合設置により、霧化ヘッドを取り付ける時に、特定の位置しかに従って霧化ヘッドを取り付け室内に滑り込むことができないことで、操作者は取り付け方向を容易に判別でき、また、リミットリブとリミットリブ溝との係合により、霧化ヘッドを取り付け室内に取り付ける時に、吸気ノズルを給気アセンブリに常に合わせることができ、使用の安定性を向上させる。
【００１７】
好ましくは、給気アセンブリはエアポンプと吸気口を含み、エアポンプは吸気口を介して取り付け室の内壁に連通し、霧化ヘッドの吸気ノズルに位置する箇所に嵌め込み溝が設けられ、嵌め込み溝内に連結ブロックが嵌設され、連結ブロック内に吸気ノズルに連通する連通室が開設され、連通室の吸気ノズルから離れる一端が連結ブロックを貫通し、連結ブロックの取り付け室に向かった一端が霧化ヘッドの側壁を突出し、且つ取り付け室の内壁に当接される。
【００１８】
上記技術的解決手段を採用することにより、嵌め込み溝及び連結ブロックの設置により、吸気ノズルと取り付け室とのの間のシール性を向上させ、給気アセンブリの霧化室内への吸気効率を向上させ、また、連結ブロックにより霧化ヘッドと取り付け室の内壁との間の摩擦力を大きくし、霧化ヘッドの取り付け室内での安定性を向上させる。
【００１９】
好ましくは、取り付け室の内壁にはリミット溝がその径方向に沿って開設され、リミット溝は霧化ヘッドのスライド方向に沿ってトップカバーの開口まで延在する。
【００２０】
上記技術的解決手段を採用することにより、連結溝の設置により、霧化ヘッドが取り付け室内でスライドする時に、連結ブロックは取り付け室の内壁に向かった一端が連結溝内に位置し且つ連結溝内にスライド可能に連結され、連結ブロックのスライドをガイドし、霧化ヘッドの取り付け時におけるスライドの安定性を向上させ、且つ操作者が霧化ヘッドを給気アセンブリに合わせない確率を減少させ、取り付けを容易にする。
【００２１】
好ましくは、連結ブロックは弾性材料で製造され、且つリミット溝に突き当てられる。
【００２２】
上記技術的解決手段を採用することにより、弾性材質及び突き当て構造の設置により、シール性を確保することができ、また、連結ブロックにより比較的良好な抵抗を形成することができ、それにより、霧化機構を取り付け室内に取り付ける時に、良好な固定効果を有する。
【００２３】
好ましくは、位置決めアセンブリはドアロック取り付けブロックをさらに含み、ドアロック取り付けブロックはホルダに取り外し可能に連結され、ドアロック取り付けブロックには取り付け溝がその厚さ方向に沿って開設され、ドアロックスイッチは取り付け溝内に嵌設され、且つドアロックスイッチの長さ方向に沿って制限固定される。
【００２４】
上記技術的解決手段を採用することにより、ドアロック取り付けブロックの設置により、ドアロックスイッチを交換する必要がある時に、ドアロック取り付けブロックをホルダから取り外すだけで、ドアロックスイッチをホルダから取り外して交換することができ、ドアロックスイッチの取り付けと取り外しを容易にする。
【００２５】
好ましくは、ホルダには取り付け座が設けられ、取り付け座にボルトが穿設され、ドアロック取り付けブロックには変形可能な孔がその厚さ方向に沿って開設され、ボルトは変形可能な孔に穿設され、変形可能な孔の取り付け座から離れる側に螺接される。
【００２６】
上記技術的解決手段を採用することにより、ボルトによりドアロック取り付けブロックをホルダの取り付け座に取り付け、取り外しと取り付けを容易にし、また、変形可能な孔の設置により、正常に取り付ける時に、ドアロック取り付けブロックが取り付け座に当接されるまで、ボルトを回動させると、ドアロック取り付けブロック及びドアロックスイッチの取り付けを完了し、この時、ドアロックスイッチがスナップジョイントとスナップフィットにされる時に、霧化ヘッドの上端面がトップカバーの上端面より高く、又は低い場合、ボルトを回動させ続けて、変形可能な孔が圧縮を受けて変形するようにする必要があり、ドアロックスイッチの位置調整を容易にする。
【考案の効果】
【００２７】
以上のようにして、本願は以下の有益な効果を有する。
【００２８】
１、位置決め機構の設置により、霧化機構の取り外し及び液体貯蔵ボトルの交換を容易にする。
【００２９】
２、リミットアセンブリの設置により、スライド部材のスライドの安定性を向上させる。
【００３０】
３、リターンアセンブリの設置により、ロック解除後の霧化ヘッドの取りを容易にする。
【００３１】
４、リミットリブとトップカバーにおけるリミットリブ溝との係合設置、連結ブロックと連結溝との係合設置により、操作者は正確な取り付け位置を容易に観察することができる。
【００３２】
５、ドアロック取り付けブロックの設置により、ドアロックスイッチの取り付け、取り外し及び位置調整を容易にする。
【図面の簡単な説明】
【００３３】
【図１】本願の実施例に係るケースを半分切断する場合の内部全体の構造概略図である。
【図２】本願の実施例における霧化機構と給気アセンブリとの連結の断面概略図である。
【図３】本願の実施例における霧化機構及び位置決め機構の構造の断面概略図である。
【図４】本願の実施例における位置決めアセンブリの構造の断面概略図である。
【図５】本願の実施例における霧化ヘッドとトップカバーが分離した構造概略図である。
【考案を実施するための形態】
【００３４】
以下、図面と結び付けて、本願についてさらに詳しく説明する。
【００３５】
フレグランス液の容器が交換しやすいフレグランス霧化拡散装置であって、図１に示すように、フレグランス霧化拡散装置はボトムカバー１、トップカバー２、ホルダ３、ケース４、霧化機構５、給気アセンブリ６及び給電アセンブリを含み、ケース４は円筒状を呈し、ボトムカバー１及びトップカバー２はケース４の両端にそれぞれ取り付けられ、ホルダ３、霧化機構５，給気アセンブリ６及び給電アセンブリはいずれもボトムカバー１、トップカバー２及びケース４の三者で囲まれて形成されるキャビティ内に取り付けられる。
【００３６】
ホルダ３は全体として円柱形を呈し、その上下の両端はそれぞれボトムカバー１及びトップカバー２に連結される。図２に示すように、ホルダ３には取り付け室３１が鉛直方向に沿って開設され、取り付け室３１は円柱形を呈し、且つホルダ３と同軸心で設けられる。取り付け室３１の一端がトップカバー２によって密閉され、トップカバー２に挿着口２２が設けられ、挿着口２２は取り付け室３１に連通し、霧化機構５を挿し込むために用いられる。霧化機構５はホルダ３に取り付けられ、且つ取り付け室３１内に位置し、ホルダ３とケース４は間隔を置いて設けられ、給気アセンブリ６と給電アセンブリを取り付ける取り付けスペースを形成する。
【００３７】
フレグランス液を霧化する時に、給気アセンブリ６は、気体を霧化機構５に注入し、霧化機構５はフレグランス液を霧化した後、上方から排出する。
【００３８】
図２に示すように、ボトムカバー１及びトップカバー２はいずれもボルトを通じてホルダ３に取り外し可能に連結され、ケース４はボトムカバー１とトップカバー２との間に固定される。取り付け時に、まずトップカバー２をボルトを通じてホルダ３に連結し、続いてケース４をホルダ３の外に被嵌し、最後にボトムカバー１をボルトを通じてホルダ３に連結し、ケース４を固定する。
【００３９】
給気アセンブリ６はエアポンプ６１と吸気口６２を含み、吸気口６２はＬ字形を呈し、その水平の一端がホルダに固着され、鉛直の一端がエアポンプ６１に連結され、ホルダ３に吸気口６２に連通する通路が設けられ、通路の他端が取り付け室３１に連通する。
【００４０】
図１に示すように、本実施例では、給電アセンブリは電池７であり、電池７は２つ設けられ、且ついずれもホルダ３に取り付けられ、電池７はエアポンプ６１に電気的に接続され、ただし、本実施例では電池７は充電電池であり、ケース４にそれを充電可能な充電口が設けられる。
【００４１】
図２に示すように、霧化機構５は、霧化ヘッド５１と液体貯蔵ボトル５２を含む。
【００４２】
霧化ヘッド５１内に霧化室５１１が開設され、霧化室５１１の上端に噴霧孔５１２が開設され、噴霧孔５１２が外部に連通する。
【００４３】
霧化室５１１は、液体貯蔵ボトル５２に向かった一端に連結溝５１５が開設され、霧化ヘッド５１は連結溝５１５を介して液体貯蔵ボトル５２に螺接され、連結溝５１５内に連結ヘッド５１５１が同軸で且つ一体に成形され、液体貯蔵ボトル５２が連結溝５１５内に連結されると、連結ヘッド５１５１は液体貯蔵ボトル５２内に嵌め込まれる。
【００４４】
連結ヘッド５１５１には吸気溝５１５２が開設され、吸気溝５１５２は霧化室５１１及び液体貯蔵ボトルに連通する。連結ヘッド５１５１は霧化室５１１に向かった側に送液ノズル５１５３が鉛直に固設され、送液ノズル５１５３に排液管５１５４が連結され且つ連通し、排液管５１５４は連結ヘッド５１５１の液体貯蔵ボトル５２に向かった一端に位置し、排液管５１５４は液体貯蔵ボトル５２を貫入し、液体貯蔵ボトル５２の胴部に延在する。
【００４５】
霧化ヘッド５１の側面がくぼんで嵌め込み溝５１３が形成され、嵌め込み溝５１３内に吸気ノズル５１４が穿設され、吸気ノズル５１４の先端は霧化室５１１に入り込む。吸気ノズル５１４は霧化室５１１に向かった一端が送液ノズル５１５３の片側に支持され、且つ送液ノズル５１５３に向かった一端が上向きに上がることで、吸気ノズル５１４と送液ノズル５１５３は角をなすように設けられる。
【００４６】
嵌め込み溝５１３内に連結ブロック５１６が嵌設され、連結ブロック５１６は弾性材料で製造され、シリカゲルの材質や、ゴムの材質などであってもよい。連結ブロック５１６内に連通室５１６１が設けられ、連通室５１６１は連結ブロック５１６の両端を貫通し、嵌め込み溝５１３内に位置する一端が吸気ノズル５１４に突き合せて連通する。
【００４７】
連結ブロック５１６は、片側が嵌め込み溝５１３から部分的に露出している。取り付け室３１にはリミット溝３２がその径方向に沿って開設され、リミット溝３２が鉛直方向に沿って延在することで、霧化ヘッド５１が取り付け室３１内でスライドする時に、連結ブロック５１６は取り付け室３１の内壁に向かった一端がリミット溝３２内に位置し、且つ鉛直方向に沿ってスライドするようにリミット溝３２に連結され、また、連結ブロック５１６とリミット溝３２の最下端の端面とは突き当てを保持し、霧化ヘッド５１の取り付けが完了すると、連通室５１６１はホルダ３上の貫通孔に突き合せて連通する。
【００４８】
エアポンプ６１が吸気口６２及び吸気ノズル５１４を介して霧化室５１１内に給気する場合、気体が霧化室５１１内に満ち、吸気速度を、霧化室５１１における噴霧孔５１２の排気速度より大きく設定することにより、霧化室５１１内の気圧を比較的高くし、霧化室５１１内の気体は吸気溝５１５２から液体貯蔵ボトル５２内に圧入され、液体貯蔵ボトル５２中の液体を、排液管５１５４に沿って送液ノズル５１５３に圧入して、霧化室５１１内へ噴出させるとともに、吸気ノズル５１４から噴き入れられる高速気流により散らして霧化し、霧化したフレグランス液を噴霧孔５１２から噴き出す。
【００４９】
図３に示すように、ホルダ３に霧化機構５を位置決めするための位置決め機構が設けられる。位置決め機構はスライド部材８と、スライド部材８を位置決めするための位置決めアセンブリ９と、スライド部材８のスライドを制限するためのリミットアセンブリ１０と、スライド部材８のリターンを駆動するためのリターンアセンブリ１１とを含む。
【００５０】
スライド部材８は、霧化ヘッド５１の最下端に当接するために円環状に設けられ、ただし、スライド部材８の形状は円環状に限られず、円弧状を呈してもよい。スライド部材８と取り付け室３１は、取り付け室３１の軸方向に沿ってスライドするように取り付け室３１内に連結され、スライド部材８の内径は霧化ヘッド５１の外径より小さい。
【００５１】
リミットアセンブリ１０、リターンアセンブリ１１及び位置決めアセンブリ９はいずれも少なくとも２セット設けられ、本実施例では、リミットアセンブリ１０、リターンアセンブリ１１及び位置決めアセンブリ９はいずれも２セットを例とし、且つスライド部材８の両側に対称に位置する。
【００５２】
リミット部材１０は、スライド部材８の径方向に沿って設けられ且つススライド部材８と一体に成形されるスライドブロック１０１と、ホルダ３の径方向に沿って設けられるスライドレール１０２と、スライドレール１０２内に嵌設される当接ブロック１０３とを含む。スライドレール１０２にはスライドブロック１０１がスライドするためのスライド溝１０２１が鉛直方向に沿って開設され、スライドレール１０２１は取り付け室３１の内側壁に開設され、スライドレール１０２１の上下の両端はホルダ３の外に連通する。スライドブロック１０１は取り付け室３１の軸方向に沿ってスライドするようにスライドレール１０２内に連結され、スライドブロック１０１とスライドレール１０２１によりガイドすることで、スライド部材８を鉛直に安定的にスライドさせる。当接ブロック１０３は、トップカバー２の下端に一体に成形され、当接ブロック１０３はスライドブロック１０１の上端に当接され、スライドレール１０２からのスライド部材８の離脱を防止する。
【００５３】
位置決めアセンブリ９はドアロックスイッチ９１と、ドアロックスイッチ９１をホルダ３に取り付けるためのドアロック取り付けブロック９２と、スナップジョイント９３と、を含む。
【００５４】
図４に示すように、ドアロックスイッチ９１は従来技術であり、例えば市販されている「禾盈ＤＬ−１００」のドアロックスイッチ９１を直接使用し、スナップジョイント９３と係合してスナップフィットにするために用いられ、主に、筐体９１１と、内芯９１２と、２つの間隔を置いて設けられ且つ内芯９１２に回動可能に連結される止め具９１３とを含む。ドアロックスイッチ９１がロック解除状態にある場合、２つの止め具９１３が開き状態にあり、スナップジョイント９３を付勢することで、スナップジョイント９３がドアロックスイッチ９１に嵌め込まれた後に内芯部９１２を押して筐体９１１内にスライドさせるようにした後、２つの止め具９１３が内向きに閉じてスナップジョイント９３を押さえ込み、この時にスナップジョイント９３への付勢を停止し、内芯９１２が小さい距離リターンした後、筐体９１１内にロックされる。ロック解除状態にある場合、同様にスナップジョイント９３を付勢することで、スナップジョイント９３が同様に内芯９１２を筐体９１１内へ小さい距離押すようにした後、スナップジョイント９３を緩めると、内芯９１２が筐体９１１から弾け出て、２つの止め具９１３が開き、スナップジョイント９３とロックを解除する。
【００５５】
ドアロック取り付けブロック９２にはドアロックスイッチ９１を取り付けるための取り付け溝９２１がその厚さ方向に沿って開設され、ドアロックスイッチ９１は取り付け溝９２１内に嵌設され、ドアロックスイッチ９１の両側に位置決めブロック９１４が一体に成形され、取り付け溝９２１が位置するドアロックスイッチ９１の両側に位置決め溝９２２が対応して開設され、位置決めブロック９１４が位置決め溝９２２内に嵌設されることで、ドアロックスイッチ９１はドアロック取り付けブロック９２の長さ方向に沿って制限固定される。
【００５６】
図３及び図４に示すように、スナップジョイント９３はスライドブロック１０１のドアロックスイッチ９１に向かった一端に一体に成形され、スナップジョイント９３はスライド溝１０２１内にスライドし、スナップジョイント９３の下端が傘形を呈することで、スナップジョイント９３は、ドアロックスイッチ９１内に係着されると、鉛直方向に沿って制限固定される。
【００５７】
ホルダ３の外にドアロック取り付けブロック９２を連結するための取り付け座３３が一体に成形され、取り付け座３３はドアロック取り付けブロック９２の下端に位置し、取り付け座３３にはボルトが鉛直方向に沿って穿設される。ドアロック取り付けブロック９２の下端には変形可能な孔９２３がその厚さ方向に沿って開設され、変形可能な孔９２３の鉛直断面は腰形である。変形可能な孔９２３の上端にはネジ穴９２４が鉛直方向に沿って開設され、下端には貫通孔が鉛直方向に沿って開設され、ドアロック取り付けブロック９２が取り付け座３３に取り付けられると、ボルトは取り付け座３３及び貫通孔を通し抜け、ネジ穴９２４に螺接され、ドアロック取り付けブロック９２の下端が取り付け座３３に当接されると、位置が正しくなければ、ボルトを回動させ続けることで、変形可能な孔９２３が押圧されて変形するようにする。
【００５８】
図３に示すように、リターンアセンブリ１１はリターンスプリング１１０１とガイドロッド１１０２を含み、スライドブロック１０１にはガイド溝１１０３がスライド部材８のスライド方向に沿って開設され、リターンスプリング１１０１は一端がガイド溝１１０３内に位置し、他端がガイドロッド１１０２の外に被嵌されてリターンスプリング１１０１を位置決めする。スライド部材８の下端にはリミットプレート１１０４が鉛直方向に沿って一体に成形され、リミットプレート１１０４はスナップジョイント９３と間隔を置くように設けられ、リミットプレート１１０４は取り付け室３１内に位置し、スナップジョイント９３はスライドレール１０２内に位置する。リミットプレート１１０４のリターンスプリング１１０１に向かった側には溝底がリターンスプリング１１０１に貼り合わせられる円弧面溝１１０５が開設され、スライド部材８が鉛直方向に沿ってスライドする時、スライド部材８はリターンスプリング１１０１を押圧することで、リターンスプリング１１０１が圧縮で力を受けるようにした後、スライド部材８は、ガイドロッド１１０２がガイド溝１１０３内に嵌設され、スナップジョイント９３とロックスイッチ９１が係合してスナップフィットを完了するまでスライドする。
【００５９】
図５に示すように、霧化ヘッド５１にはリミットリブ５１７がその径方向に沿って一体に成形され、リミットリブ５１７は複数設けられ、且つ霧化ヘッド５１の周方向に沿って配列され、本実施例では、３本のリミットリブ５１７を例とし、３本のリミットリブ５１７は霧化ヘッド５１の外周壁における嵌め込み溝５１３から離れる側に位置する。トップカバー２の取り付け室３１部分の内にリミットリブ溝２１が対応して開設されることで、操作者が霧化ヘッド５１を取り付ける時に、３本のリミットリブ５１７をいずれもリミットリブ溝２１に合わせる時にしか、霧化ヘッド５１は取り付け室３１内に滑り込むことができないことにより、霧化ヘッド５１を取り付ける時に、吸気ノズル５１４を常に吸気口６２に合わせることができる。
【００６０】
本願の実施例の実施原理は以下のとおりである。
【００６１】
フレグランス液を霧化する時に、まずフレグランス液が入っている液体貯蔵ボトル５２を霧化ヘッド５１に連結し、霧化機構５全体を取り付け室３１内に取り付け、この時、霧化ヘッド５１の吸気ノズル５１が給気アセンブリ６に合わせられ連通し、給電アセンブリはエアポンプ６１が吸気口６２を介して霧化室５１１内に吸気するように駆動し、霧化室５１１内の気圧が比較的大きい場合、吸気溝５１５２により液体貯蔵ボトル５２内の気圧も増加させることで、液体貯蔵ボトル５２中のフレグランス液が排液管５１５４中に圧入され、送液ノズル５１５３から霧化室５１１中へ噴出されるようにし、フレグランス液が霧化室５１１に入るとともに、吸気ノズル５１４の高速気流によって散らされて霧化され、噴霧孔５１２により導出されると、フレグランス液の霧化が完了する。
【００６２】
フレグランス液が入っている液体貯蔵ボトル５２を取り付ける時に、まず液体貯蔵ボトル５２を霧化ヘッド５１の下端の連結溝５１５に螺接し、続いて液体貯蔵ボトル５２を下向きにし、霧化ヘッド５１を上向きにし、３本のリミットリブ５１７をリミットリブ溝２１に合わせた後、霧化ヘッド５１の下端がスライド部材８に当接されるまで、取り付け室３１に鉛直に入れ、下向きに付勢し、スナップジョイント９３とドアロックスイッチ９１とのスナップフィットが完了するまで、霧化ヘッド５１を介してスライド部材８が下向きにスライドするように押し、この時、霧化ヘッド５１の上端面がトップカバー２の上端面とちょうど面一になり、霧化ヘッド５１は連結ブロック５１６と連結溝５１５の溝底との間の摩擦力により鉛直方向に沿って制限固定され、それにより液体貯蔵ボトル５２の取り付けが完了する。
【００６３】
交換する時、霧化ヘッド５１を下向きに押すと、スナップジョイント９３はドアロックスイッチ９１とのスナップフィットを解除し、リターンスプリング１１０１は霧化ヘッド５１が取り付け室３１から弾け出るように駆動し、霧化ヘッド５１を取り出すと、液体貯蔵ボトル５２を交換することができる。
【００６４】
この具体的な実施形態の実施例はいずれも本願の好ましい実施例であり、これにより本願の保護範囲を制限するものではなく、したがって、本願の構造、形状、原理に従って行われる等価な変化は、いずれも本願の保護範囲内に含まれるべきである。
【符号の説明】
【００６５】
１...ボトムカバー、２...トップカバー、２１...リミットリブ溝、２２...挿着口、３...ホルダ、３１...取り付け室、３２...リミット溝、３３...取り付け座、４...ケース、５...霧化機構、５１...霧化ヘッド、５１１...霧化室、５１２...噴霧孔、５１３...嵌め込み溝、５１４...吸気ノズル、５１５...連結溝、５１５１...連結ヘッド、５１５２...吸気溝、５１５３...送液ノズル、５１５４...排液管、５１６...連結ブロック、５１６１...連通室、５１７...リミットリブ、５２...液体貯蔵ボトル、６...給気アセンブリ、６１...エアポンプ、６２...吸気口、７...電池、８...スライド部材、９...位置決めアセンブリ、９１...ドアロックスイッチ、９１１...筐体、９１２...内芯、９１３...止め具、９１４...位置決めブロック、９２...ドアロック取り付けブロック、９２１...取り付け溝、９２２...位置決め溝、９２３...変形可能な孔、９２４...ネジ穴、９３...スナップジョイント、１０...リミットアセンブリ、１０１...スライドブロック、１０２...スライドレール、１０２１...スライド溝、１０３...当接ブロック、１１...リターンアセンブリ、１１０１...リターンスプリング、１１０２...ガイドロッド、１１０３...ガイド溝、１１０４...リミットプレート、１１０５...円弧面溝。
【図１】
0003233688.tif 000003
【図２】
0003233688.tif 000004
【図３】
0003233688.tif 000005
【図４】
0003233688.tif 000006
【図５】
0003233688.tif 000007